(57)【要約】【課題】ＩＣカードに記憶される電子バリューのセキュリティを維持しつつ、ディスプレイに表示させる表示用データを取得できるようにする。【解決手段】ディスプレイ１０２を備えたＩＣカード１００であって、駅務機器２００と通信を行うためのアンテナ１０３と、アンテナ１０３を介して駅務機器２００とメモリ１０４ｂの電子バリューに関する情報のやり取りを行うＩＣチップ１０４と、アンテナ１０３を介して駅務機器２００から表示用データを受信してメモリ１０５に記憶させ、メモリ１０５の表示用データをディスプレイ１０２に表示させる表示制御ＩＣチップ１０６とを備える。【選択図】図２
2008217103.tif 000002
【特許請求の範囲】
【請求項１】
表示手段を備えたＩＣカードであって、
通信機器と通信を行うための通信手段と、
電子バリューを記憶する第１の記憶手段と、
表示用データを記憶する第２の記憶手段と、
前記通信手段を介して前記通信機器と前記第１の記憶手段の電子バリューに関する情報のやり取りを行う制御手段と、
前記通信手段を介して前記通信機器から表示用データを受信して前記第２の記憶手段に記憶させ、前記第２の記憶手段の表示用データを前記表示手段に表示させる表示制御手段とを備えたことを特徴とするＩＣカード。
【請求項２】
前記通信手段として、前記制御手段が前記通信機器と通信を行うための第１のアンテナと、前記表示制御手段が前記通信機器と通信を行うための第２のアンテナとが設けられており、前記第１のアンテナ及び前記第２のアンテナは、前記通信機器との間で通信を行う際に電力を発生する無線通信を行うことを特徴とする請求項１に記載のＩＣカード。
【請求項３】
表示手段を備えたＩＣカードと通信を行う通信機器であって、
前記ＩＣカードと通信を行うための通信手段と、
前記通信手段を介して前記ＩＣカードと電子バリューに関する情報のやり取りを行う制御手段と、
前記ＩＣカードの表示手段に表示させる表示用データを生成し、前記通信手段を介して前記ＩＣカードに送信する表示用データ生成手段とを備えたことを特徴とする通信機器。
【発明の詳細な説明】
【技術分野】
【０００１】
本発明は、表示手段を備えたＩＣカード、及び、そのＩＣカードと通信を行う駅務機器等の通信機器に関する。
【背景技術】
【０００２】
ＩＣカードは、磁気カード等に比べて記憶容量が大きく、機密性や安全性に優れているといった理由から、多種多様な分野において利用されている。
【０００３】
ＩＣカードを利用するに際し、その内部に記憶されている電子的なデータをどのようにして可視化するかが一つの重要な課題となっている。
【０００４】
例えば特許文献１には、カード本体の表面に、エレクトロルミネセンス発光素子を用いたシート状の表示部を設けた表示機能付き非接触ＩＣカードが開示されている。
【０００５】
【特許文献１】特開２００３−２２３６２２号公報
【発明の開示】
【発明が解決しようとする課題】
【０００６】
特許文献１に開示されている非接触ＩＣカードは、ＩＣチップのカードデータ用メモリに使用目的に応じた可変情報を記憶させ、表示用メモリに表示部に表示させる表示データを記憶させる構成となっており、カードデータ用メモリに記憶される可変情報から表示データを生成し、表示用メモリに記憶させる。
【０００７】
しかしながら、カードデータ用メモリに記憶されるデータは電子バリュー等の重要なデータであって、そのセキュリティを厳格に維持する必要がある。セキュリティの観点からいえば、たとえ同一のＩＣカード内であっても、カードデータ用メモリに記憶されるデータへのアクセスは最低限必要な構成要素やタイミングに限定すべきであり、カードデータ用メモリに記憶される可変情報から随時表示データを生成する構成は好ましくない。
【０００８】
また、カードデータ用メモリに記憶される可変情報から表示データを生成する場合、表示データ生成のための構成が必要となり、構成が複雑になってしまう。
【０００９】
本発明は、上記のような点に鑑みてなされたものであり、ＩＣカードに記憶される電子バリューのセキュリティを維持しつつ、表示手段に表示させる表示用データを取得できるようにすることを目的とする。
【課題を解決するための手段】
【００１０】
本発明によるＩＣカードは、表示手段を備えたＩＣカードであって、通信機器と通信を行うための通信手段と、電子バリューを記憶する第１の記憶手段と、表示用データを記憶する第２の記憶手段と、前記通信手段を介して前記通信機器と前記第１の記憶手段の電子バリューに関する情報のやり取りを行う制御手段と、前記通信手段を介して前記通信機器から表示用データを受信して前記第２の記憶手段に記憶させ、前記第２の記憶手段の表示用データを前記表示手段に表示させる表示制御手段とを備えたことを特徴とする。
本発明による通信機器は、表示手段を備えたＩＣカードと通信を行う通信機器であって、前記ＩＣカードと通信を行うための通信手段と、前記通信手段を介して前記ＩＣカードと電子バリューに関する情報のやり取りを行う制御手段と、前記ＩＣカードの表示手段に表示させる表示用データを生成し、前記通信手段を介して前記ＩＣカードに送信する表示用データ生成手段とを備えたことを特徴とする。
【発明の効果】
【００１１】
本発明によれば、ＩＣカード内において制御手段と表示制御手段とがやり取りを行うのではなく、それぞれが通信手段を介して通信機器と通信し、制御手段は第１の記憶手段の電子バリューに関する情報のやり取りを行い、表示制御手段は表示用データを受信するようにしたので、ＩＣカードに記憶される電子バリューのセキュリティを維持しつつ、表示手段に表示させる表示用データを取得することができる。
【発明を実施するための最良の形態】
【００１２】
以下、添付図面を参照して、本発明の好適な実施形態について説明する。
（第１の実施形態）
図１、２は、第１の実施形態に係る非接触ＩＣカード１００の構成を示す図である。本実施形態では、Ｓｕｉｃａ（登録商標）のように主に交通機関で利用される非接触ＩＣカード１００を説明する。非接触ＩＣカード１００は電子バリュー（例えば定期券情報、乗車券や特急券等のデジタルチケット情報、ストアードフェア（ＳＦ）の残額情報）を書き換え可能に記憶し、図３に示すように、駅務機器（図示例では自動改札機）２００と無線通信を行う。
【００１３】
図１、２に示すように、非接触ＩＣカード１００のカード本体１０１には、表示手段の一例であるディスプレイ１０２が設けられている。ディスプレイ１０２としては、電力供給がなくても表示が残存するディスプレイ、例えばマイクロカプセル型電気泳動式ディスプレイが用いられる。このように電力供給がなくても表示が残存するディスプレイを用いることにより、ユーザはいつでもディスプレイ１０２の表示を視認することができ、また、ディスプレイ１０２の表示更新時にのみ電力が消費されるので電力消費を抑えることができる。図１には、ディスプレイ１０２に、定期券情報、デジタルチケット情報、ＳＦの残額情報の３つが表示されている例を示す。
【００１４】
また、図２に示すように、カード本体１０１には、通信手段の一例であるアンテナ１０３と、制御手段の一例であるＩＣチップ１０４と、第２の記憶手段の一例であるメモリ１０５と、表示制御手段の一例である表示制御ＩＣチップ１０６とが内蔵されている。
【００１５】
アンテナ１０３は、ループコイルからなり、非接触ＩＣカード１００を駅務機器２００の読み取り部２０５にかざしたときに（図３を参照）、駅務機器２００との間で電磁誘導方式の無線通信を行う。
【００１６】
ＩＣチップ１０４は、ＣＰＵ１０４ａ、ＲＯＭやＲＡＭ等のメモリ１０４ｂを含んで構成され、非接触ＩＣカード１００を駅務機器２００の読み取り部２０５にかざしたときに電磁誘導方式で得られる電力で駆動する。メモリ１０４ｂは電子バリューを書き換え可能に記憶する。ＣＰＵ１０４ａがメモリ１０４ｂに記憶されているプログラムを実行することにより、アンテナ１０３を介して駅務機器２００とメモリ１０４ｂの電子バリューに関する情報のやり取りを行う。具体的には、メモリ１０４ｂの電子バリューの情報を駅務機器２００に送信したり、駅務機器２００からデータ或いはコマンドを受信してメモリ１０４ｂの電子バリューを書き換えたりする。なお、メモリ１０４ｂが本発明でいう第１の記憶手段に相当するものである。
【００１７】
メモリ１０５は、表示制御ＩＣチップ１０６がアンテナ１０３を介して駅務機器２００から受信する表示用データを記憶する。
【００１８】
表示制御ＩＣチップ１０６は、ＣＰＵ１０６ａ、ＲＯＭやＲＡＭ等のメモリ１０６ｂを含んで構成され、非接触ＩＣカード１００を駅務機器２００の読み取り部２０５にかざしたときに電磁誘導方式で得られる電力で駆動する。ＣＰＵ１０６ａがメモリ１０６ｂに記憶されているプログラムを実行することにより、アンテナ１０３を介して駅務機器２００から表示用データを受信してメモリ１０５に記憶させ、メモリ１０５の表示用データをディスプレイ１０２に表示させる。なお、図２では、メモリ１０５を表示制御ＩＣチップ１０６とは別体として図示したが、表示制御ＩＣチップ１０６に実装されたメモリが本発明でいう第２の記憶手段として機能するようにしてもよい。
【００１９】
なお、図示は省略するが、ディスプレイ１０２による表示機能の補助電源として、例えばコンデンサを設けておき、電磁誘導方式で得られる電力の一部を蓄えるようにしてもよい。或いは、ディスプレイ１０２による表示機能専用の電源として、一次電池や二次電池を別途設けてもよい。
【００２０】
図３に示すように、駅務機器２００には、通信手段の一例であるアンテナ２０１と、リーダ／ライタ２０２と、ＣＰＵやメモリ等により構成される主制御部２０３と、表示用データ生成手段の一例である表示用データ生成部２０４とが設けられている。なお、駅務機器２００が本発明でいう通信機器に相当するものである。
【００２１】
アンテナ２０１は、非接触ＩＣカード１００を駅務機器２００の読み取り部２０５にかざしたときに（図３を参照）、非接触ＩＣカード１００との間で電磁誘導方式の無線通信を行う。
【００２２】
リーダ／ライタ２０２及び主制御部２０３は、非接触ＩＣカード１００と電子バリューに関する情報のやり取りを行う。ここでは、一例としてＳＦの残額情報に基づく自動改札機２００での出場処理を説明する。図３に示すように自動改札機２００と非接触ＩＣカード１００とが無線通信を行っている状態で、リーダ／ライタ２０２及び主制御部２０３は、非接触ＩＣカード１００のメモリ１０４ｂのＳＦの残額情報を読み取り、ＳＦの残額情報が運賃等の利用料金に対して充足しているか否か判定する。その結果、ＳＦの残額情報が充足していると判定すると、不図示のドアを開いて出場を許可するとともに、利用料金を減算した残金情報に書き換えるよう書き換え指令を非接触ＩＣカード１００に送信する。非接触ＩＣカード１００のＩＣチップ１０４は、書き換え指令を受けて、メモリ１０４ｂのＳＦの残額情報を書き換える。
【００２３】
また、一例としてデジタルチケット情報に基づく自動改札機２００での出場処理を説明する。図３に示すように自動改札機２００と非接触ＩＣカード１００とが無線通信を行っている状態で、リーダ／ライタ２０２及び主制御部２０３は、非接触ＩＣカード１００のメモリ１０４ｂのデジタルチケット情報を読み取り、デジタルチケット情報の券種の判定、期間や区間の判定等を行う。その結果、デジタルチケット情報が有効であると判定すると、不図示のドアを開いて出場を許可するとともに、該当デジタルチケット情報を削除するよう削除指令を非接触ＩＣカード１００に送信する。非接触ＩＣカード１００のＩＣチップ１０４は、削除指令を受けて、メモリ１０４ｂの該当デジタルチケット情報を削除するように書き換える。
【００２４】
表示用データ生成部２０４は、非接触ＩＣカード１００のディスプレイ１０２に表示させる表示用データを生成し、非接触ＩＣカード１００に送信する。上述したように駅務機器２００と非接触ＩＣカード１００とが電子バリューに関する情報のやり取りを行った結果、非接触ＩＣカード１００のメモリ１０４ｂに記憶されることになる電子バリューを正データとすると、その正データに対応させた表示用データを生成し、アンテナ２０１を介して非接触ＩＣカード１００に送信する。表示用データは、例えばビットマップやドットコードからなる。非接触ＩＣカード１００の表示制御ＩＣチップ１０６は、駅務機器２００から表示用データを受信してメモリ１０５に記憶させ、メモリ１０５の表示用データをディスプレイ１０２に表示させる。
【００２５】
以上のように自動改札機２００と非接触ＩＣカード１００との間では、電子バリューに関する情報と表示用データとがやり取りされる。この場合に、駅務機器２００と、非接触ＩＣカード１００のＩＣチップ１０４及び表示制御ＩＣチップ１０６とに合言葉を持たせてあり、駅務機器２００からの呼び掛けは合言葉を使って行う。これにより、自動改札機２００と非接触ＩＣカード１００との間で電子バリューに関する情報のやり取りを行う際にはＩＣチップ１０４だけがこれに応え、表示用データを送信する際には表示制御ＩＣチップ１０６だけがこれに応える仕組みとなっている。
【００２６】
以上述べたように、非接触ＩＣカード１００内においてＩＣチップ１０４と表示制御ＩＣチップ１０６とがやり取りを行うのではなく、それぞれがアンテナ１０３を介して駅務機器２００と通信し、ＩＣチップ１０４はメモリ１０４ｂの電子バリューに関する情報のやり取りを行い、表示制御ＩＣチップ１０６は表示用データを受信するようにしたので、非接触ＩＣカード１００に記憶される電子バリューのセキュリティを維持しつつ、ディスプレイ１０２に表示させる表示用データを取得することができる。
【００２７】
（第２の実施形態）
図４は、第２の実施形態に係る非接触ＩＣカード１００の構成を示す図である。以下では、上記第１の実施形態との相違点を中心に説明し、第１の実施形態と同様の構成要素には同一の符号を付して、その詳細な説明を省略する。
【００２８】
第２の実施形態では、カード本体１０１に、ＩＣチップ１０４が駅務機器２００と通信を行うための第１のアンテナ１０３ａと、表示制御ＩＣチップ１０６が駅務機器２００と通信を行うための第２のアンテナ１０３ｂとが内蔵されている。アンテナ１０３ａ、１０３ｂはそれぞれループコイルからなり、非接触ＩＣカード１００を駅務機器２００の読み取り部２０５にかざしたときに（図３を参照）、駅務機器２００との間で電磁誘導方式の無線通信を行う。
【００２９】
このようにした第２の実施形態では、非接触ＩＣカード１００を駅務機器２００の読み取り部２０５にかざしたときに、ＩＣチップ１０４は第１のアンテナ１０３ａを介して電磁誘導方式で得られる電力で駆動し、表示制御ＩＣチップ１０６は第２のアンテナ１０３ｂを介して電磁誘導方式で得られる電力で駆動する。すなわち、ＩＣチップ１０４、１０６がそれぞれ独自に電力供給を受けることになり、ＩＣチップ１０４、１０６での処理が相互し合うのを避けて、両ＩＣチップ１０４、１０６を安定動作させることができる。
【００３０】
以上、本発明を種々の実施形態と共に説明したが、本発明はこれらの実施形態にのみ限定されるものではなく、本発明の範囲内で変更等が可能である。例えば駅務機器２００としては、自動改札機以外にも、駅員が用いる携帯型端末装置、定期券発売機、のりこし精算機、自動発券機等がある。
【００３１】
また、上記実施形態では、通信を行う際に電力を発生する無線通信として電磁誘導方式を説明したが、他の方式、例えばＵＨＦ帯や２．４５ＧＨｚ帯での電波方式を用いてもよい。
【図面の簡単な説明】
【００３２】
【図１】第１の実施形態に係る非接触ＩＣカードの構成を示す図である。
【図２】第１の実施形態に係る非接触ＩＣカードの構成を示す図である。
【図３】非接触ＩＣカードと駅務機器とが無線通信を行っている状態を示す図である。
【図４】第２の実施形態に係る非接触ＩＣカードの構成を示す図である。
【符号の説明】
【００３３】
１００    非接触ＩＣカード
１０１    カード本体
１０２    ディスプレイ
１０３    アンテナ
１０３ａ  アンテナ
１０３ｂ  アンテナ
１０４    ＩＣチップ
１０４ａ  ＣＰＵ
１０４ｂ  メモリ
１０５    メモリ
１０６    表示制御ＩＣチップ
１０６ａ  ＣＰＵ
１０６ｂ  メモリ
２００    駅務機器
２０１    アンテナ
２０２    リーダ／ライタ
２０３    主制御部
２０４    表示用データ生成部
２０５    読み取り部
【図１】
2008217103.tif 000003
【図２】
2008217103.tif 000004
【図３】
2008217103.tif 000005
【図４】
2008217103.tif 000006